(57)【要約】【課題】  音声信号の周波数帯域毎の信号レベルを表示するスペアナ表示装置において、表示画面のサイズ及び表示ドット数が制限されていても、高い視認性を確保する。【解決手段】  カーオーディオ装置１は、スピーカＳＰから出力される音声について、周波数帯域毎の信号レベルをインジケータにより表示するスペアナ表示機能を有する。スペアナ表示機能により、マスターマイコン１００が表示更新処理を実行して、各インジケータの表示レベルが前回表示された表示レベルよりも低い場合には、１レベル単位で表示レベルを低下させ、各インジケータの表示レベルが前回表示された表示レベルよりも高い場合には、２レベル単位で表示レベルを上昇させる。【選択図】      図４
2006184509.tif 000002
【特許請求の範囲】
【請求項１】
入力される音声信号を所定時間毎にサンプリングして周波数帯域毎の信号レベルを検出し、検出した信号レベルに基づいて、各周波数帯域に対応する表示シンボルを表示装置によって表示させる表示制御装置において、
前記表示シンボルは、信号レベルの帯域毎に各々対応づけられた複数段階の表示レベルで表示され、
前記サンプリングが行われる毎に、検出された各周波数帯域の信号レベルに基づいて各周波数帯域に対応する表示シンボルの表示レベルを決定し、決定した表示レベルに従って、前記表示装置における各周波数帯域に対応する表示シンボルの表示を更新させる表示制御手段を備え、
前記表示制御手段は、
前記信号レベルに基づいて決定した表示シンボルの表示レベルが、前回のサンプリング時に決定した表示レベルに比べて低い場合には、当該表示シンボルの表示レベルを所定段階単位で低下させ、
前記信号レベルに基づいて決定した表示シンボルの表示レベルが、前回のサンプリング時に決定した表示レベルに比べて高い場合には、当該表示シンボルの表示レベルを前記所定段階よりも大きい単位で上昇させること、
を特徴とする表示制御装置。
【請求項２】
前記表示制御手段は、前記信号レベルに基づいて決定した表示シンボルの表示レベルが、前回のサンプリング時に決定した表示レベルに比べて低い場合には、当該表示シンボルの表示レベルを、前回のサンプリング時における表示レベルより前記所定段階だけ低く設定することを特徴とする請求項１記載の表示制御装置。
【請求項３】
前記表示装置は、車両に搭載される車載表示装置であることを特徴とする請求項１または２記載の表示制御装置。
【請求項４】
前記車両に搭載されたスピーカに音声信号を出力する車載音響機器と一体に構成されることを特徴とする請求項３記載の表示制御装置。
【請求項５】
入力される音声信号を所定時間毎にサンプリングして周波数帯域毎の信号レベルを検出し、検出した信号レベルに基づいて、各周波数帯域に対応する表示シンボルを表示装置によって表示させる表示制御方法であって、
前記表示シンボルは、信号レベルの帯域毎に各々対応づけられた複数段階の表示レベルで表示され、
前記サンプリングが行われる毎に、検出された各周波数帯域の信号レベルに基づいて各周波数帯域に対応する表示シンボルの表示レベルを決定し、決定した表示レベルに従って、前記表示装置における各周波数帯域に対応する表示シンボルの表示を更新させ、
前記信号レベルに基づいて決定した表示シンボルの表示レベルが、前回のサンプリング時に決定した表示レベルに比べて低い場合には、当該表示シンボルの表示レベルを所定段階単位で低下させ、
前記信号レベルに基づいて決定した表示シンボルの表示レベルが、前回のサンプリング時に決定した表示レベルに比べて高い場合には、当該表示シンボルの表示レベルを前記所定段階よりも大きい単位で上昇させること、
を特徴とする表示制御方法。
【発明の詳細な説明】
【技術分野】
【０００１】
本発明は、音声信号の周波数帯域毎の信号レベルを表示する表示制御装置、及び、表示制御方法に関する。
【背景技術】
【０００２】
従来、オーディオ装置において、音声信号の信号レベルを周波数帯域毎に量的に表示するスペクトラムアナライザー表示装置（以下、スペアナ表示装置と略記する）が知られている（例えば、特許文献１参照。）。スペアナ表示装置は、例えば、周波数帯域毎に棒形状や点状の表示体の集合からなるインジケータを表示し、インジケータの表示サイズによって信号レベルを表すものである。
【０００３】
スペアナ表示装置においては、信号レベルの経時的な変化に対応して、インジケータの表示サイズが変化する。このとき、インジケータの表示サイズを、信号レベルの変化に忠実に増大及び低下させると、インジケータの表示サイズが短時間のうちに大きく変動することがあった。この場合、インジケータの表示サイズの変化が激しいため、インジケータの変化を目で追うことが困難になり、視認性が損なわれるという問題があった。
この問題を解決するため、従来、信号レベルが上昇した場合は、信号レベルの変化に同期してインジケータの表示サイズを増大させ、信号レベルが低下した場合は、信号レベルの低下の度合いに関わらずインジケータの表示サイズをゆっくりと変化させるといった手法が用いられてきた。この手法によれば、信号レベルの上昇時と低下時とで、インジケータの表示サイズの変化スピードが変わることから、信号レベルの上昇を確認しやすくなり、視認性の向上が見込まれる。
【０００４】
【特許文献１】特開２００２−４９３８２号公報
【発明の開示】
【発明が解決しようとする課題】
【０００５】
ところが、表示画面のサイズ及び表示ドット数の都合上、インジケータの表示サイズの切り替えが粗い場合には、インジケータの表示サイズが常に激しく変化するような印象を与えてしまい、視認性の向上を図ることが困難であった。この場合、上記のような手法を用いても、表示サイズの増大時と低下時との間で変化スピードの差が殆ど感じられず、視認性の向上が期待できないことがあった。
【０００６】
本発明は、上述した事情に鑑みてなされたものであり、音声信号の周波数帯域毎の信号レベルを表示するスペアナ表示装置において、表示画面のサイズ及び表示ドット数が制限されていても、高い視認性を確保することを目的としている。
【課題を解決するための手段】
【０００７】
上記課題を解決するため、本発明は、入力される音声信号を所定時間毎にサンプリングして周波数帯域毎の信号レベルを検出し、検出した信号レベルに基づいて、各周波数帯域に対応する表示シンボルを表示装置によって表示させる表示制御装置において、前記表示シンボルは、信号レベルの帯域毎に各々対応づけられた複数段階の表示レベルで表示され、前記サンプリングが行われる毎に、検出された各周波数帯域の信号レベルに基づいて各周波数帯域に対応する表示シンボルの表示レベルを決定し、決定した表示レベルに従って、前記表示装置における各周波数帯域に対応する表示シンボルの表示を更新させる表示制御手段を備え、前記表示制御手段は、前記信号レベルに基づいて決定した表示シンボルの表示レベルが、前回のサンプリング時に決定した表示レベルに比べて低い場合には、当該表示シンボルの表示レベルを所定段階単位で低下させ、前記信号レベルに基づいて決定した表示シンボルの表示レベルが、前回のサンプリング時に決定した表示レベルに比べて高い場合には、当該表示シンボルの表示レベルを前記所定段階よりも大きい単位で上昇させることを特徴とする。
【０００８】
本発明において、前記表示制御手段が、前記信号レベルに基づいて決定した表示シンボルの表示レベルが、前回のサンプリング時に決定した表示レベルに比べて低い場合には、当該表示シンボルの表示レベルを、前回のサンプリング時における表示レベルより前記所定段階だけ低く設定するようにしてもよい。
【０００９】
また、前記表示装置が車両に搭載される車載表示装置である構成としてもよい。
【００１０】
さらに、前記車両に搭載されたスピーカに音声信号を出力する車載音響機器と一体に構成されるものとしてもよい。
【００１１】
また、本発明は、入力される音声信号を所定時間毎にサンプリングして周波数帯域毎の信号レベルを検出し、検出した信号レベルに基づいて、各周波数帯域に対応する表示シンボルを表示装置によって表示させる表示制御方法であって、前記表示シンボルは、信号レベルの帯域毎に各々対応づけられた複数段階の表示レベルで表示され、前記サンプリングが行われる毎に、検出された各周波数帯域の信号レベルに基づいて各周波数帯域に対応する表示シンボルの表示レベルを決定し、決定した表示レベルに従って、前記表示装置における各周波数帯域に対応する表示シンボルの表示を更新させ、前記信号レベルに基づいて決定した表示シンボルの表示レベルが、前回のサンプリング時に決定した表示レベルに比べて低い場合には、当該表示シンボルの表示レベルを所定段階単位で低下させ、前記信号レベルに基づいて決定した表示シンボルの表示レベルが、前回のサンプリング時に決定した表示レベルに比べて高い場合には、当該表示シンボルの表示レベルを前記所定段階よりも大きい単位で上昇させることを特徴とする。
【発明の効果】
【００１２】
本発明によれば、周波数帯域毎の信号レベルを各周波数帯域に対応する表示シンボルによって表示する場合に、視認性を高めることができる。
【発明を実施するための最良の形態】
【００１３】
以下、図面を参照しつつ本発明の実施形態について説明する。
図１は、本発明の一実施形態に係るカーオーディオ装置（車載音響機器）１の正面図であり、図２はカーオーディオ装置１の装置本体２の正面図である。図１に示すように、カーオーディオ装置１の正面（フロント部分）には、着脱可能コントロールパネル（以下、ＤＣＰ（Detachable Control Panel）という）３が装置本体２に対して取り外し自在に取り付けられる。
【００１４】
ＤＣＰ３は、車載表示装置及び操作部として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。すなわち、図１に示すように、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。したがって、ユーザは液晶パネル５を見なくとも、タッチパネル６の操作を容易に行うことができる。
【００１５】
さらに、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、図１に示すように、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。すなわち、ユーザがガイド片１１に沿ってタッチパネル６上を指で摺摩することで、スクロール操作アイコン１２が操作され、表示項目が順次変更される。
【００１６】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体１に内蔵されたラジオ音源やＣＤ（Compact Disc）音源、装置本体２に通信可能に接続されたＣＤチェンジャーやＤＶＤ（Digital Versatile Disk）チェンジャー、および、外部音声入力端子から入力される外部音声などが用いられている。
【００１７】
オープン・イジェクトボタン７ＣはＤＣＰ３パネルを開くための押下式ボタンであり、ＤＣＰ３が閉じた状態でオープン・イジェクトボタン７Ｃが押下されると、ＤＣＰ３が図示せぬリンク機構により装置本体１から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。
【００１８】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１９】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００２０】
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００２１】
ＤＣＰ３が装置本体２に取り付けられた状態にあっては、上記コネクタ接点３２および２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００２２】
次いで、本カーオーディオ装置１の機能的構成について図４を参照して詳述する。図４はカーオーディオ装置１の装置本体２およびＤＣＰ３の機能的構成を示すブロック図である。この図に示すように、カーオーディオ装置１の装置本体２は、マスターマイコン１００と、ラジオ受信部１１０と、ＣＤ再生部１２０と、音声出力部１３０とを備えている。
マスターマイコン１００は、装置本体２の各部およびＤＣＰ３の制御を実行するものであり、ＥＥＰＲＯＭやＲＡＭ等の記憶手段が内蔵され、当該ＥＥＰＲＯＭには、制御用プログラムやメニュー画面などの各種表示用データが格納されている。なお、図示を省略しているが、マスターマイコン１００には、車両のバッテリに直結されたバックアップ電源と、キースイッチを介してバッテリに接続されたＡＣＣ電源とが供給されている。したがって、ＡＣＣ電源がオフの間は、バックアップ電源がマスターマイコン１００に供給され、ＲＡＭなどに格納したデータが保持される。
【００２３】
ラジオ受信部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１２０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００２４】
音声出力部１３０は、マスターマイコン１００の制御の下、ラジオ受信部１１０及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、音声信号が符号化されている場合にはデコード処理といったデジタル音声信号処理を施して電子ボリューム回路１３２に出力するものであり、電子ボリューム回路１２１は、マスターマイコン１００の制御の下、再生音量を調整すべく、音声信号をＤ／Ａ変換した後に信号の振幅レベルを調整して出力するものである。また、ＤＳＰ１３１には、上記ラジオ受信部１１０及びＣＤ再生部１２０のほかにも、例えば図示せぬカーナビゲーション装置といった外部機器からの外部音声信号が入力可能に構成されている。
【００２５】
ここで、本カーオーディオ装置１には、例えば２線の同軸ケーブルからなるＲＣＡコネクタを介して外部アンプユニット１６０が接続されており、上記電子ボリューム回路１３２から出力された音声信号がＲＣＡコネクタを介して外部アンプユニット１６０に入力される。外部アンプユニット１６０は複数のスピーカＳＰが接続可能に構成されており、接続可能なスピーカＳＰの最大数（本実施形態では６）だけのアンプ回路（図示せず）を備え、電子ボリューム回路１３２から入力された音声信号を増幅して、現在接続されている各スピーカＳＰに出力する。なお、アンプ回路やスピーカを装置本体２にも内蔵し、外部アンプユニット１６０を介さずに音声を出力可能に構成しても良いことは勿論である。
【００２６】
ＤＣＰ３は、上記のように、液晶パネル５とタッチパネル６と操作キー７とを備える他、さらに、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の一つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００２７】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００２８】
このように構成されるカーオーディオ装置１は、スピーカＳＰから出力される音声の信号レベルを周波数帯域毎に表示するスペクトラムアナライザー表示機能（以下、スペアナ表示機能と略記する）を有する。ここで、カーオーディオ装置１のスペアナ表示機能及び当該機能に係る動作について説明する。なお、スペアナ表示機能の実行時において、マスターマイコン１００は、表示制御手段として機能する。
【００２９】
図５は、スペアナ表示機能により、液晶パネル５に表示されるスペアナ表示画面の構成例を示す図である。図６は、スペアナ表示機能により、マスターマイコン１００によって実行される表示更新処理を示すフローチャートである。
【００３０】
まず、スペアナ表示機能の概略について説明する。
カーオーディオ装置１は、スペアナ表示機能によって液晶パネル５にスペアナ表示画面を表示させる。スペアナ表示画面においては、予め設定された複数の周波数帯域毎に、各周波数帯域における信号レベルを示すインジケータが配置される。
【００３１】
図５に示すスペアナ表示画面においては、BAND１〜１７の各周波数帯域に対応するインジケータが、図中左側を低周波数側とし、図中右側を高周波数側として、横方向に一列に並べて表示される。これら各インジケータは、対応する周波数帯域における信号レベルに応じて、複数段階の高さ（表示レベル）で表示される。すなわち、インジケータの高さが高ければ当該周波数帯域における信号レベルが高く、インジケータの高さが低ければ当該周波数帯域における信号レベルが低いことを表す。従って、スペアナ表示画面を一覧することで、各周波数帯域における信号レベルを容易に把握できるようになっている。
【００３２】
また、スペアナ表示画面は所定の周期毎に更新され、信号レベルの経時変化に応じてインジケータの表示レベルが変化する。そして、スペアナ表示画面においては、信号レベルが上昇した場合は、信号レベルの変化と同期してインジケータの表示レベルが上昇し、その一方で、信号レベルが低下した場合は、インジケータの表示レベルは信号レベルの変化よりもゆっくりと低下する。これは、インジケータの表示レベルの変化をできるだけ緩やかにすることで、視認性を向上させるためである。
【００３３】
このスペアナ機能を実現するため、ＤＳＰ１３１は、上記デジタル音声信号処理を施した処理後の音声信号を、マスターマイコン１００に出力する。マスターマイコン１００は、ＤＳＰ１３１から入力される音声信号を所定の周期（例えば、５０ミリ秒）でサンプリングして、予め設定された複数の周波数帯域毎の信号レベルを検出する。そして、マスターマイコン１００は、検出した周波数帯域毎の信号レベルをもとに、各周波数帯域におけるインジケータの表示レベルを決定する。上述のように、液晶パネル５に表示されるインジケータは複数段階（例えば、１０段階）の表示レベルで表示され、表示レベルの各段階は、所定幅で設定された信号レベルの帯域に対応づけられている。マスターマイコン１００は、各周波数帯域の信号レベルが属する信号レベルの帯域を判定し、その帯域に対応する表示レベルを、各周波数帯域の表示レベルとして決定する。
【００３４】
各周波数帯域の表示レベルを決定した後、マスターマイコン１００は表示更新処理を実行し、液晶パネル５にスペアナ表示画面を表示するための表示情報を生成して表示マイコン１５１に出力し、表示マイコン１５１及びＬＣＤドライバ１５２によって、液晶パネル５にスペアナ表示画面を表示させ、或いはスペアナ表示画面の表示を更新させる。
【００３５】
ここで、図６のフローチャートを参照して、表示更新処理について説明する。
まず、マスターマイコン１００は、ＤＳＰ１３１から入力される音声信号をサンプリングして周波数帯域毎の信号レベルを検出し、検出した周波数帯域毎の信号レベルをもとに、各周波数帯域の表示レベルを決定して、表示更新処理を開始する（ステップＳ１）。
【００３６】
次に、マスターマイコン１００はパラメータＮを設定し、パラメータＮの初期値として２をセットし（ステップＳ２）、バンドＮ（低周波数側から数えてＮ番目の周波数帯域）を処理対象に設定する（ステップＳ３）。
【００３７】
そして、マスターマイコン１００は、ステップＳ１で決定した表示レベルに基づき、バンドＮの表示レベルを、前回のサンプリングにより決定された表示レベルから１レベル下げた値に設定する（ステップＳ４）。その後、マスターマイコン１００は、表示レベルの変更単位を２レベル単位に設定する（ステップＳ５）。
【００３８】
次に、マスターマイコン１００は、今回のサンプリングによりバンドＮについて検出された信号レベルに対応する表示レベルと、ステップＳ４で１レベル低下させた表示レベルとを比較して、表示レベルを上昇させるか否かを判別する（ステップＳ６）。ここで、バンドＮについて検出された信号レベルに対応する表示レベルが、ステップＳ４で低下させた表示レベルよりも高い場合、実際に表示するインジケータの表示レベルは、検出された信号レベルに対応する表示レベルとなる。そこで、マスターマイコン１００は、表示レベルを上昇させると判別し（ステップＳ６；Ｙｅｓ）、表示レベルを２レベル単位で更新して（ステップＳ７）、ステップＳ８に移行する。
【００３９】
また、ステップＳ６で、バンドＮについて検出された信号レベルに対応する表示レベルが、ステップＳ４で低下させた表示レベル以下である場合、実際に表示するインジケータの表示レベルは、ステップＳ４で低下させた表示レベルとなる。このため、マスターマイコン１００は表示レベルを上昇させないと判別し（ステップＳ６；Ｎｏ）、ステップＳ８へ移行する。
【００４０】
ステップＳ８において、マスターマイコン１００は、パラメータＮをインクリメント（＋１）し、続いて、パラメータＮの値が最大値を超えたか否かを判別する（ステップＳ９）。この最大値とは、スペアナ表示画面中のインジケータの数を指す。つまり、パラメータＮの値が最大値を超えた場合とは、スペアナ表示画面に表示される全ての周波数帯域について処理が完了した場合である。
【００４１】
そして、パラメータＮが最大値を超えていない場合（ステップＳ９；Ｎｏ）、マスターマイコン１００はステップＳ３の動作に戻り、上記処理を繰り返し実行する。ここで、マスターマイコン１００は、ステップＳ３に戻る際に、ステップＳ５で変更した表示レベルの変更単位を、再び１レベル単位に戻す処理を行う。
【００４２】
また、パラメータＮが最大値を超えた場合（ステップＳ９；Ｙｅｓ）、マスターマイコン１００は、上記処理により更新された表示レベルに基づいて、スペアナ表示画面を表示するための表示情報を生成して表示マイコン１５１に出力し、液晶パネル５にスペアナ表示画面を表示させ、或いは液晶パネル５に表示中のスペアナ表示画面を更新させる（ステップＳ１０）。
【００４３】
この図６に示す表示更新処理は、マスターマイコン１００がＤＳＰ１３１から入力される音声信号をサンプリングする毎に実行され、一回のサンプリングに対応して一つのスペアナ表示画面が表示される。なお、液晶パネル５においてスペアナ表示画面を更新するタイミングは、サンプリングの周期（例えば、５０ミリ秒）に同期させることが望ましい。このため、上記表示更新処理のステップＳ１０で、スペアナ表示画面の更新のタイミングがサンプリングの周期に合うように、適当な待ち時間を設けてもよい。
【００４４】
続いて、スペアナ表示機能により表示されるインジケータの表示レベルの変化について説明する。
図７（ａ）及び（ｂ）は、従来の手法によりスペアナ表示画面を表示した場合の、インジケータの経時変化の例を示す図であり、図８は、図６に示す表示更新処理を行った場合におけるインジケータの経時変化の例を示す図である。
なお、図７（ａ）、（ｂ）及び図８において、横軸は時間経過を示し、縦軸はインジケータの表示レベルを示す。また、符号Ｔ１〜Ｔ１５はそれぞれ時刻を示し、時刻Ｔ１〜Ｔ１５の各時刻において、スペアナ表示画面が更新されるものとする。すなわち、図７及び図８では、表示更新が１５回行われる間におけるインジケータの表示レベルの変化を示す。
【００４５】
図７（ａ）には、インジケータの表示レベルを１レベル単位で上昇および低下させる例を示す。この例では、時刻Ｔ１、Ｔ６、Ｔ９、Ｔ１３で音声信号の信号レベルが上昇する。まず、時刻Ｔ１で、信号レベルの上昇に伴ってインジケータの表示レベルがレベル８まで上昇し、時刻Ｔ２〜Ｔ５において、表示レベルが次第に低下する。時刻Ｔ２〜Ｔ５では、信号レベルの低下の度合いに関わらず、インジケータの表示レベルは１回の表示更新につき１レベルづつ低下する。
そして、時刻Ｔ６で、再び信号レベルの上昇に伴ってインジケータの表示レベルがレベル５まで上昇し、時刻Ｔ７〜Ｔ８でインジケータの表示レベルが１レベルづつ低下する。その後、時刻Ｔ９で、信号レベルの上昇に伴ってインジケータの表示レベルがレベル５まで上昇し、時刻Ｔ１０〜Ｔ１１にかけて表示レベルが低下する。
【００４６】
また、図７（ｂ）には、図７（ａ）と同様に音声信号の信号レベルが変化する場合に、インジケータの表示レベルを２レベル単位で上昇及び低下させる例を示す。
この例では、時刻Ｔ１で、インジケータの表示レベルがレベル８まで上昇し、時刻Ｔ２〜Ｔ５において、表示レベルが２レベルづつ低下する。そして、時刻Ｔ６で、再び信号レベルの上昇に伴ってインジケータの表示レベルが上昇するが、この例では信号レベルが２レベルづつ変化するので、時刻Ｔ６ではレベル６まで表示レベルが上昇する。その後、時刻Ｔ７〜Ｔ８でインジケータの表示レベルが２レベルづつ低下し、さらに時刻Ｔ９で信号レベルの上昇に伴ってインジケータの表示レベルが上昇する。時刻Ｔ９においても、インジケータの表示レベルは２レベル単位で変化するため、表示レベルはレベル６まで上昇する。
【００４７】
図７（ａ）に示す例では、信号レベルの上昇時（時刻Ｔ１、Ｔ６、Ｔ９、Ｔ１３）にインジケータの表示レベルが迅速に立ち上がり、信号レベルの低下時に表示レベルが緩やかに低下しており、視認性の向上を図っているが、表示レベルが８段階しかないことから、信号レベルの上昇時と低下時との差が感じられず、あまり効果が期待できない。また、図７（ｂ）の例では、表示レベルの変化が２レベル単位になっていることから、信号レベルの上昇時における表示レベルの立ち上がりが、より鋭くなっている。しかしながら、信号レベルが低下する際にも表示レベルが激しく変化するため、見た目に煩雑な印象を与え、視認性の向上は期待しにくい。
【００４８】
これに対し、図６の表示更新処理を適用した場合には、図８に示すように、信号レベルの上昇時（時刻Ｔ１、Ｔ６、Ｔ９、Ｔ１３）にはインジケータの表示レベルが２レベル単位で変化し、信号レベルの低下時には表示レベルが１レベル単位で低下する。
【００４９】
例えば、時刻Ｔ６及び時刻Ｔ９では、図７（ａ）の例ではインジケータの表示レベルがレベル５まで上昇するのに対し、図８の例では表示レベルがレベル６まで立ち上がっている。これは、インジケータの表示レベルを上昇させる場合は、２レベル単位、すなわちレベル２、４、６或いはレベル８のいずれかに上昇させているからである。
また、図８の例において、時刻Ｔ２〜Ｔ５、時刻Ｔ７〜Ｔ８及び時刻Ｔ１０〜Ｔ１２では、インジケータの表示レベルが１レベルづつ低下している。このため、図８の例では、信号レベルの上昇時には表示レベルが大幅に立ち上がり、信号レベルの低下時に伴う表示レベルの変化が緩やかである。
【００５０】
このように、図６の表示更新処理を実行することで、スペアナ表示画面においては、信号レベルの立ち上がりが強調される一方、信号レベルの低下は緩やかに表示される。これにより、信号レベルの上昇タイミングを明確に表示しつつ、インジケータの表示レベルの変化を全体的に抑制することができるので、見た目に煩雑な印象を与えることがなく、視認性の向上を図ることができる。この効果は、図８に例示したように、インジケータの表示レベルの段階（例えば、８段階）が少ない（粗い）場合においても顕著であり、表示画面のサイズやドット数等が制限されている場合であっても、十分な効果が得られる。
【００５１】
以上のように、本発明の実施形態にかかるカーオーディオ装置１は、ＤＳＰ１３１によって処理された音声信号の周波数帯域毎の信号レベルを、各周波数帯域に対応するインジケータによって表示するスペアナ表示機能を有し、スペアナ表示機能の実行時に、マスターマイコン１００が表示更新処理を実行して、各インジケータの表示レベルが前回表示された表示レベルよりも低い場合には、１レベル単位で表示レベルを低下させ、各インジケータの表示レベルが前回表示された表示レベルよりも高い場合には、２レベル単位で表示レベルを上昇させる。
【００５２】
これにより、スペアナ表示画面において、各周波数帯域に対応する各インジケータは、信号レベルが上昇した場合には大きく変化し、信号レベルが低下した場合にはゆるやかに、細かく変化する。従って、スペアナ表示画面においては、信号レベルの上昇が明確に表示され、かつ、信号レベルの変化が抑えられるので、見た目に煩雑な印象を与えることがなく、視認性の向上を図ることができる。この効果は、インジケータの表示レベルの段階が少ない（粗い）場合においても顕著であり、表示画面のサイズやドット数等が制限されている場合であっても、十分な効果が得られる。また、信号レベルの上昇時と低下時とで表示レベルを変化させる単位を変えるだけでよいので、複雑な演算処理が必要ないという利点がある。
【００５３】
なお、上述した実施形態は、本発明の一実施態様を示すものであり、本発明の範囲内で任意に変形及び応用可能であることは勿論である。
例えば、上記実施形態では、各インジケータの表示レベルが前回表示された表示レベルよりも低い場合には、１レベル単位で表示レベルを低下させ、各インジケータの表示レベルが前回表示された表示レベルよりも高い場合には、２レベル単位で表示レベルを上昇させる構成としたが、表示レベルを上昇及び低下させる単位はこれに限定されず、例えば、信号レベルの上昇時に３レベル単位で表示レベルを上昇させ、信号レベルの低下時に２レベル単位で低下させる構成としてもよい。
【００５４】
また、例えば、上述した実施形態では、スペアナ表示機能によって液晶パネル５に棒状のインジケータを表示する構成を例示したが、インジケータの形状は棒状に限定されず、例えば、点状の表示体の集合からなる構成としてもよい。また、カーオーディオ装置１のスペアナ表示機能により、カーオーディオ装置１とは別体として構成される他の表示装置にインジケータを表示させる構成としてもよい。さらに、図５に示すBAND１〜１７の各周波数帯域の帯域幅は必ずしも均一でなくてもよく、周波数帯域の数及びインジケータの数についても特に制限はなく、また、図７（ａ）、図７（ｂ）及び図８に示すインジケータの表示レベルは８段階に限定されない。これらは、液晶パネル５の表示サイズ等に応じて決定すればよい。さらにまた、上記実施形態におけるカーオーディオ装置１は、主としてオーディオの再生出力を行うものとして説明したが、例えばカーナビゲーション装置において、カーオーディオ装置１の機能を実装することが可能であり、この場合も本発明を適用することが可能である。
【図面の簡単な説明】
【００５５】
【図１】本実施形態に係る車載機器の一態様たるカーオーディオ装置の正面図である。
【図２】カーオーディオ装置の装置本体の正面図である。
【図３】カーオーディオ装置のＤＣＰの裏面側を示す正面図である。
【図４】カーオーディオ装置の装置本体およびＤＣＰの機能的構成を示すブロック図である。
【図５】スペアナ表示機能により液晶パネルに表示されるスペアナ表示画面の構成例を示す図である。
【図６】カーオーディオ装置において実行される表示更新処理を示すフローチャートである。
【図７】従来の手法によりスペアナ表示画面を表示した場合の、インジケータの経時変化の例を示す図であり、（ａ）はインジケータの表示レベルを１レベル単位で変化させた例を示し、（ｂ）はインジケータの表示レベルを２レベル単位で変化させた例を示す。
【図８】図６の表示更新処理を行った場合におけるインジケータの経時変化の例を示す図である。
【符号の説明】
【００５６】
１  カーオーディオ装置（車載音響機器）
３  ＤＣＰ（表示装置、車載表示装置）
４  ＤＣＰケース
５  液晶パネル
６  タッチパネル
７  操作キー
１００  マスターマイコン（表示制御手段）
１１０  ラジオ受信部
１２０  ＣＤ再生部
１３０  音声出力部
１３１  ＤＳＰ
１３２  電子ボリューム回路
１５１  表示マイコン
１５２  ＬＣＤドライバ
１６０  外部アンプユニット
【図１】
2006184509.tif 000003
【図２】
2006184509.tif 000004
【図３】
2006184509.tif 000005
【図４】
2006184509.tif 000006
【図５】
2006184509.tif 000007
【図６】
2006184509.tif 000008
【図７】
2006184509.tif 000009
【図８】
2006184509.tif 000010